(57)【要約】【課題】  被逮捕者に被せるだけで、大半の自由を奪うことができる新規な逮捕用具を提供すること。【解決手段】被逮捕者と十分な距離を維持できる程度の長さを備えた柄体１の蛇腹状の捕獲胴２の一方の開口部２ｂをを固定し、２つの開口部２ａ、２ｂを仮止用の固定具４により固定して構成されている。【選択図】図１
2006258319.tif 000002
【特許請求の範囲】
【請求項１】
被逮捕者を収容できる長さと径を有し、かつ一方の開口部に網が張設された蛇腹状の捕獲胴と、前記捕獲胴と十分な距離を維持できる程度の長さを備え、前記捕獲胴の他方の開口部が固定された柄体と、常時は前記捕獲胴を折り畳んだ状態を維持する一方、前記網と前記柄体の先端との間に前記捕獲胴を引き伸ばす方向に力が作用したとき、容易に脱落する固定具とからなる逮捕具。
【請求項２】
前記捕獲胴が目隠し構造に構成されている請求項１に記載の逮捕具。
【請求項３】
前記捕獲胴の一方の開口部が前記柄体の貫通する弾性部材により構成されていて、絞り操作可能に構成されている請求項１に記載の逮捕具。
【請求項４】
前記第１、または第２の柄体の少なくとも一方の開口部に、一端が前記柄体の手元で操作可能で、他端が前記柄体の開口部側で固定された紐を、容易に脱落する止具により環状に配置されている請求項１のいずれかに記載の逮捕具。
【発明の詳細な説明】
【技術分野】
【０００１】
本発明は、刃物を所持した犯罪者を確実に取り押さえるための逮捕用具に関する。
【背景技術】
【０００２】
犯罪者が刃物を所持している場合にはいわゆる特許文献１に見られるように刺股型の逮捕用具を用いて、刃物が届かない距離を保持しつつ犯罪者の首や胴などを押さえつけて逮捕することが行われている。
しかし、犯罪者は、２、３歩ほど逮捕用具から後退すれば簡単に逃げることができ、また逆に犯罪者に逮捕用具を奪われて逆襲される危険性もある。
【特許文献１】特開2000-230800号公報
【発明の開示】
【発明が解決しようとする課題】
【０００３】
本発明はこのような問題に鑑みてなされたものであって、その目的とするところは被逮捕者に被せるだけで、大半の自由を奪うことができる新規な逮捕用具を提供することである。
【課題を解決するための手段】
【０００４】
このような課題を達成するために請求項１の発明は、被逮捕者を収容できる長さと径を有し、かつ一方の開口部に網が張設された蛇腹状の捕獲胴と、前記捕獲胴と十分な距離を維持できる程度の長さを備え、前記捕獲胴の他方の開口部が固定された柄体と、常時は前記捕獲胴を折り畳んだ状態を維持する一方、前記網と前記柄体の先端との間に前記捕獲胴を引き伸ばす方向に力が作用したとき、容易に脱落する固定具とから構成されている。
【０００５】
請求項２の発明は、前記捕獲胴が目隠し構造に構成されている。
【０００６】
請求項３の発明は、前記捕獲胴の一方の開口部が前記柄体の貫通する弾性部材により構成されていて、絞り操作可能に構成されている。
【０００７】
請求項４の発明は、前記第１、または第２の柄体の少なくとも一方の開口部に、一端が前記柄体の手元で操作可能で、他端が前記柄体の開口部側で固定された紐を、容易に脱落する止具により環状に配置されている。
【発明の効果】
【０００８】
請求項１の発明によれば、折り畳まれている捕獲胴の輪部を被逮捕者に被せて柄体を下方に移動させることにより、捕獲胴に収容して被逮捕者を安全な距離を隔ててその自由を制することができる。
【０００９】
請求項２の発明によれば、被逮捕者に外部の状況の把握を困難にさせて抵抗の意思を制することができる。
【００１０】
請求項３、４の発明によれば、被逮捕者を捕獲胴に収容した段階で紐を絞って脚部を拘束することができる。
【発明を実施するための最良の形態】
【００１１】
図１は本発明の逮捕用具の一実施例を示すものであって、被逮捕者と十分な距離を維持できる程度の長さを備えた柄体１に、蛇腹状の捕獲胴２を取り付けたものである。より詳細には捕獲胴２の一方の開口部２ａには柄体１が、他方の開口部２ｂには開口を覆うように網３が張設されている。
【００１２】
捕獲胴２は、不使用時にはそれぞれの開口部２ａと２ｂとが容易に離脱する固定具４により重なった状態に維持され、また伸張した状態では長さが大人の背丈程度となるように構成されている。
【００１３】
捕獲胴２の開口部２ａ、２ｂは、図２（イ）に示したように比較的剛性が高く、常時はリング状を維持する枠体として構成されていて柄体１の一端に固定されている。
【００１４】
これら２つの枠体と間には耐刃性を有する線材、もしくは帯材により開口部２ａ、２ｂと同程度の径の輪部５、５・・・・と、これら輪部４と開口部２ａ、２ｂとを繋ぐとともに屈曲可能な連結部６、６・・・・とにより構成されている。
【００１５】
そして好ましくは図２(ロ)に示したように提灯のように開口部２ａ、２ｂとの間には目隠し用に、可撓性のシート７が筒状に張設されている。
【００１６】
この実施例において、柄体１の一端を把持して輪状部を被逮捕者の頭上から挿通して柄体１を下方に押さえると、網３が被逮捕者の頭部につっかえるため、開口部２ａと２ｂとを固定していた固定具４が弾性変形、または塑性変形、さらには破損して、開口２ａが外れて捕獲胴２が被逮捕者を包み込むように提灯状に伸びて被逮捕者を取り囲む。
【００１７】
このような状態になると、被逮捕者は目隠し用のシート７により周囲の状況を把握できなくなり一瞬ひるむことになる。
【００１８】
なお、上述の実施例においては柄体１側の開口部２ａ枠体として構成したが、少なくとも一方を絞り可能に構成することにより、被逮捕者の頭上から挿通した時点で絞ることにより被逮捕者の脚部を拘束することができる。
【００１９】
図３は、絞り可能とするための構造に一実施例を示すものであって、柄体１をパイプのような中空体で構成するとともに、開口部２ｂは、鋼帯などのように輪形状を維持できるとともに弾性変形可能な部材８の一端８ａを柄体１の先端に固定し、また他端８ｂを柄体１に挿通して手元側に延長し、引きやすくするために取っ手９を設けて構成されている。
【００２０】
これによれば、被逮捕者に挿通した状態でさらに取っ手９を引くことにより開口部２ｂが絞られることになり、被逮捕者の脚部を確実に拘束することができる。
【００２１】
図４（イ)は、本発明の逮捕用具の捕獲胴の他の実施例を示すものであって、この実施例においては下側となる開口部２ｂには、一端が手元の引き手１０に連結されて柄体１を貫通するワイヤなどの紐１１を開口部２ｂに沿わせて環状となるように容易に脱落するリングなどの止具１２により配置し、他端１１ａを柄体１に固定して構成されている。
【００２２】
止具１２は、図４（ロ）に示したように一部に欠損部１２ａを有するリング体、もしくは端部側が上下に重なるように環状に整形したリング体により構成されている。
【００２３】
この実施例によれば、捕獲胴２を被逮捕者の頭部から被せて捕獲胴２を伸張させた時点で引き手１０を引くと、紐１１に掛る張力により止具１２が開口部２ｂから脱落して投げ輪のように紐１１が絞られ、被逮捕者の脚部を拘束することができる。
【００２４】
なお、紐１１に鋸歯状の凹凸を形成するとともに、柄体１に爪を設けておくと、一方向にのみ移動可能となり、引き手１０を離しても拘束状態を維持することができる。
【図面の簡単な説明】
【００２５】
【図１】図(イ)、(ロ)は、それぞれ本発明の逮捕用具の一実施例を、畳んだ状態で示す正面図と側面ん図である。
【図２】図(イ)、(ロ)は、それぞれ同上逮捕具の捕捉部の一実施例を示す斜視図である。
【図３】同上逮捕具の柄体に形成する輪部の他の実施例を示す断面図である。
【図４】図(イ)、(ロ)は、それぞれ逮捕具の他の実施例を示す正面図、及び止具の一実施例を示す図である。
【符号の説明】
【００２６】
１  柄体
２  捕獲胴
２ａ、２ｂ  開口部
３  網
４  開口部仮止用の固定具
５  輪部
６  連結部
７  目隠し用のシート
【図１】
2006258319.tif 000003
【図２】
2006258319.tif 000004
【図３】
2006258319.tif 000005
【図４】
2006258319.tif 000006